(57)【要約】飲料容器（１０）の弁アセンブリは、１つの外部容器（１１）及び１つの内部容器（１２）の２つの構成要素を有し、上部が閉鎖装置（１４）によって閉じられる。前記弁アセンブリは、単一体で製造された弁本体（４１）とばね装置（４２）とを備え、可動シールユニット（５０）は、前記弁本体（４１）と前記ばね装置（４２）との間に存在し、前記弁アセンブリ（４０）の通路開口（３４）を選択的に開閉するように構成される。
2021522123.tif 000002
【特許請求の範囲】
【請求項１】
１つの外部容器（１１）及び１つの内部容器（１２）の２つの構成要素を有し、上部が閉鎖装置（１４）によって閉じられる飲料容器（１０）の弁アセンブリであって、
前記弁アセンブリは、単一体で製造された弁本体（４１；１４１）とばね装置（４２）と、を備え、
可動シールユニット（５０）は、前記弁本体（４１；１４１）と前記ばね装置（４２）との間に存在し、前記弁アセンブリ（４０）の通路開口（３４）を選択的に開閉するように構成され、
前記弁アセンブリ（４０）は、前記飲料容器（１０）の容器（１１、１２）と直接結合したリサイクル可能なプラスチック材料製である、ことを特徴とする弁アセンブリ。
【請求項２】
前記弁本体（４１）は、構造（３３，３６，３７，４５）を規定する硬質材料と、硬質材料と安定して結合し、１つ以上のシールガスケット（５１，５２，５３）を規定する軟質材料と、を単一体内に備える、ことを特徴とする請求項１に記載の弁アセンブリ。
【請求項３】
前記構造（３５，３６，３７，４５）は、上部環状部（３５）と、少なくとも１つの接続要素（４５）によって前記上部環状部（３５）に接続された据え付け壁（３６）と、前記ばね装置（４２）のための収容キャビティ（４８）を画定する下部延長部（３７）と、を備える、ことを特徴とする請求項２に記載の弁アセンブリ。
【請求項４】
前記弁本体（４１）は、該弁本体（４１）に安定して結合され、使用中に一方の側で容器（１０）の閉鎖装置（１４）と協働するのに適し、他方の側で同心の容器（１１，１２）の上縁部と協働するのに適した上部ガスケット（５１）を有する、ことを特徴とする請求項１〜３のいずれか一項に記載の弁アセンブリ。
【請求項５】
前記弁本体（４１）は、該弁本体（４１）に安定して結合され、使用中に内部容器（１２）の内周と協働するのに適した側方ガスケット（５３）を有する、ことを特徴とする請求項１〜４のいずれか一項に記載の弁アセンブリ。
【請求項６】
前記弁本体（４１）は、弁アセンブリ（４０）と一体化され、使用中にばね装置（４２）と協働するのに適した環状の内部ガスケット（５２）を有する、ことを特徴とする請求項１〜５のいずれか一項に記載の弁アセンブリ。
【請求項７】
前記弁本体（１４１）は、使用中に飲料分配装置と協調するのに適し、弁アセンブリ（４０）と一体化された環状のシールガスケット（７９）を有する、ことを特徴とする請求項１〜６のいずれか一項に記載の弁アセンブリ。
【請求項８】
前記弁本体（４１；１４１）は、据え付け壁（３６）内に形成された１つ以上の半径方向のくぼみ（８４）を備える、ことを特徴とする請求項３〜７のいずれか一項に記載の閉鎖ユニット。
【請求項９】
前記少なくとも１つの接続要素（４５）は、ガス用の少なくとも１つの通過スリット（４６）又は通路チャネル（８１）を備える、ことを特徴とする請求項５に記載の閉鎖ユニット。
【請求項１０】
前記弁本体（４１；１４１）は、前記弁アセンブリ（４０）の正確な位置決めのために、可動シールユニット（５０）の構成要素に作用するばね装置（４２）の弾性手段と協働する下部延長部（３７）を有する、ことを特徴とする請求項１〜９のいずれか一項に記載の弁アセンブリ。
【請求項１１】
前記可動シールユニット（５０）は、前記閉鎖装置（１４）に存在する内部環状延在部（１６）と協働して、前記可動シールユニット（５０）の構成要素（３９）に結合される前記ばね装置の正確な相互配置を規定するように構成され、
前記弁本体（４１；１４１）は、前記可動シールユニット（５０）の別の構成要素（３８）に結合される、ことを特徴とする請求項１〜１０のいずれか一項に記載の弁アセンブリ。
【請求項１２】
前記弁本体（４１；１４１）は、前記可動シールユニット（５０）の雌型構成要素（３８）を有する、ことを特徴とする請求項１〜１１のいずれか一項に記載の弁アセンブリ。
【請求項１３】
前記可動シールユニット（５０）の前記雌型構成要素（３８）は、シール蓋（４４）を一時的に有する、ことを特徴とする請求項１２に記載の弁アセンブリ。
【請求項１４】
前記シール蓋（４４）及び前記可動シールユニット（５０）の前記雄型構成要素（３９）には、相互連結を規定するのに適した環状くぼみ及び環状突起（６２，６１）がそれぞれ設けられる、ことを特徴とする請求項１２及び１３に記載の弁アセンブリ。
【請求項１５】
前記ばね装置（４２）は、少なくとも一つの荷重分散リング（５９ａ，５９ｂ）と、該少なくとも一つの分散リング（５９ａ，５９ｂ）に安定して接続された少なくとも二つの線形ジグザグばね（５８ｂ）と、を備える、ことを特徴とする請求項１〜１４のいずれか一項に記載の弁アセンブリ。
【請求項１６】
前記線形ジグザグばね（５８ｂ）は、該線形ジグザグばねが結合される前記可動シールユニット（５０）の雄型構成要素（３９）と協働する、ことを特徴とする請求項１５に記載の弁アセンブリ。
【請求項１７】
前記据え付け壁（３６）は前記硬質材料製であり、かつ前記軟質材料で充填された通路スリット（７７）を備え、
前記１つ以上のガスケット（５１，５２，５３）は互いを接続するフラップ（７８ａ，７８ｂ）を有し、単一の射出ポイントにおいて硬質材料（３５，３６，３７，４５，４９）の構造に射出オーバーモールディングによって製造される、ことを特徴とする請求項２又は３を引用する請求項１〜１６のいずれか一項に記載の弁アセンブリ。
【請求項１８】
前記弁本体（４１）と結合され、前記ばね装置（４２）の収容及び支持手段を規定するように構成された支持要素（４３）を備える、ことを特徴とする請求項１〜１７のいずれか一項に記載の弁アセンブリ。
【請求項１９】
前記支持要素（４３）は、その側壁において長手方向に沿って形成され、前記支持要素（４３）の内面へのアクセスを可能にし、紫外線、赤外線、洗浄液、又はその他の手段によって前記支持要素（４３）の洗浄及び消毒を可能にするように構成された通過スリット（６７）を備える、ことを特徴とする請求項１８に記載の弁アセンブリ。
【請求項２０】
外部容器（１１）、内部容器（１２）、及び閉鎖装置（１４）を備えたケグ型の飲料容器であって、
請求項１〜１９のいずれか一項に記載の弁アセンブリ（４０）を備え、
前記外部容器（１１）、前記内部容器（１２）、前記閉鎖装置（１４）及び前記弁アセンブリ（４０）は、少なくとも容器の総重量の９７％より高い割合がリサイクル可能な同一のプラスチック材料製である、ことを特徴とする飲料容器。
【発明の詳細な説明】
【技術分野】
【０００１】
本発明は、飲料容器に使用することができ、分配装置に結合できる弁本体及び関連する弁アセンブリに関する。有利には、弁アセンブリを使用できる飲料容器は、２つの同軸体を有するケグ（keg）型容器であり、その外部容器すなわちドラムは支持機能及び保護機能を有し、内部容器すなわちバッグは飲料を入れるために使用される。飲料の除去は、２つの容器の製造方法に応じて、外部容器を押圧することによって、又は外部容器と内部容器の間に、例えば加圧された空気等のガスを導入することによって行われる。本発明は、限定的ではないが優先的に、２つの同軸容器の間にガス状の流体を導入することによって飲料を除去することを可能にする容器に関する。
【背景技術】
【０００２】
現在の技術では、流体の流れを制御及び調整するための弁アセンブリが知られている。これらの使用は、特定の使用条件下で流体の通過を選択的に許容及び阻止する必要がある様々な分野及び多くの用途で広まっている。
【０００３】
弁アセンブリ及び閉鎖装置を備えた、流体、特に飲料用の容器もまた知られており、分配ステップ中に飲料を排出し、飲料の分配が不要なときに容器を閉じることができる。
弁アセンブリ及び閉鎖装置の例は、例えば特許文献１〜３が知られている。
【先行技術文献】
【特許文献】
【０００４】
【特許文献１】英国特許出願公開第２４８１４６５号明細書
【特許文献２】国際公開第２０１１／０１２８０４号
【特許文献３】国際公開第２０１８／２２５１０９号
【発明の概要】
【発明が解決しようとする課題】
【０００５】
これらの弁アセンブリには、複数の欠点がある。
欠点の１つは、弁アセンブリの少なくとも１つが金属の構成要素であることから、容器のサイクルの最後に、弁アセンブリをリサイクルするためにその構成要素を分解しなければならないことである。
【０００６】
さらに、実際には、様々な構成要素が互換性のあるプラスチックで製造されていないことがたびたびある。
別の欠点は、既知の弁アセンブリが複雑で、過度に関節により連結されているため、簡単で迅速な洗浄ができず、また構成要素の交換のための単純な介入ができないという事実によって引き起こされる。
【０００７】
さらなる欠点は、既知の弁アセンブリを容器に設置し、微調整して使用し始める操作が、その複雑さと関節による連結を考慮すると、必ずしも容易ではないという事実によって見出される。
【０００８】
さらなる欠点は、液圧シールが常に最適であるとは限らず、容器の寿命がある期間を通して常に持続するとは限らないことである。また、シールは弁アセンブリの周囲に沿って常に均一であるとは限らない。
【０００９】
さらなる欠点は、既知の弁アセンブリでは、分配装置を取り外した後に過剰なガスを容器から簡単かつ自動的に放出できないため、加圧されたガスが導入された容器を取り扱わなければならない操作者に安全上のリスクが生じることである。
【００１０】
さらに、既知の解決策では、たとえ少量であっても、ビールが弁アセンブリ内、又は弁アセンブリと閉鎖ストッパーの間に残留すると、カビが発生するおそれがある。
本発明の目的の１つは、現在の技術の少なくともいくつかの欠点を克服する弁本体及び関連する弁アセンブリを提供することである。
【００１１】
本発明の別の目的は、製造が容易な弁本体であって、該弁本体が結合される容器について所望の気密シールを保証する弁本体を提供することである。
別の目的は、製造コスト、製造に際して消費されるエネルギ、これらを保管するのに必要な空間、組み立てに係る時間、及びリサイクル時間とリサイクルコストを低減するために、単純で既知の弁アセンブリに対して部品点数を削減した弁アセンブリを提供することである。
【００１２】
さらなる目的は、組み立て前における構成要素の消毒、並びに構成要素の洗浄又は交換のために分解する際の単純さ及び容易さを提供することである。
目的はまた、２つの容器の間に空気すなわちガスを導入することによって飲料が分配される場合に、２つの容器の間の過剰な空気を除去することについて改善することである。
【００１３】
さらなる目的はまた、容器を充填及び閉鎖する操作の機能を改善することである。
さらなる目的は、少なくとも飲料を排出する（tapping）操作の機能を改善し、できるだけ一定で均一な流れを得ることである。
【００１４】
出願人は、現在の技術の欠点を克服し、これらの目的及び他の目的並びに利点を得るために、本発明を考案し、試験し、そして具体化した。
【課題を解決するための手段】
【００１５】
本発明は、独立請求項に記載され、特徴付けられているが、従属請求項は、本発明の他の特徴又は主な発明思想の変形例を説明している。
本発明は、少なくとも、二構成容器のうちの内部容器に収容された飲料を除去し、２つの容器の間の中空空間に加圧された流体を導入することを目的とした弁アセンブリに関する。
【００１６】
これらの弁アセンブリは、複数の要件を満たす必要がある。
それらは、シンプルで使いやすく、排出（tapping）するステップ中、及び場合によっては飲料自体を充填するステップ中の両方で、飲料を分配／導入するための装置と協働するのに適している必要がある。さらに、これらの弁アセンブリは、容器のライフサイクル又は容器の中の飲料のライフサイクル全体に亘って容器の気密シールを保証する必要がある。これらの弁アセンブリはまた、飲料の充填から排出の完了までの数ヶ月に亘る貯蔵期間の可能性に対応しなければならない。
【００１７】
中空空間の作用による排出に用いられる本発明に係る弁アセンブリの場合、弁アセンブリはまた、排出のために２つの容器の間に導入される可能性のある過剰なガスの確実かつ完全な排出を可能にしなければならない。
【００１８】
本発明は、上記で特定されたすべての操作を可能にする高度な弁アセンブリを保護し、さらに以下を行う。
（１）組み立て前に構成要素の消毒を可能にし、洗浄及びメンテナンス作業を容易にする。
【００１９】
（２）組み立てステップ中、及び何らかの理由で弁アセンブリ又はその他の構成要素の異常が発生した場合における介入中に、簡単な操作を可能にする。
（３）例えば空気などの排出ガスを正確で自律的に注入すること、及び分配装置が取り外されたときに過剰なガスが遅れること又は妨げられることなく中空空間から排出されることを保証する。
【００２０】
（４）すべての構成要素を、追加で分解することなく、単一体（a single body）の状態でも、容易にリサイクルできるようにする。
（５）非常にシンプルで、ばね装置や弁本体など実質的に一体品であるごく僅かな部品により構成することで、コスト、倉庫の在庫、廃棄、占有スペース、及びすべてを取得するためのエネルギを大幅に削減し、さらに分解することなくリサイクルできるようにする。
【００２１】
（６）弁アセンブリの閉鎖に作用する様々な弾性要素のタイプを利用可能にし、弁センブリの閉鎖が弁アセンブリの全周に沿って均一かつ確実であることを保証する。
これらの、他の、及びさらなる利点は、以下の説明から明らかになるであろう。
【００２２】
本発明によれば、その最小限の実施形態では、弁アセンブリは、２つの構成要素、すなわち、弁本体及びばね装置により構成される。
本明細書で説明する実施形態では、構成要素は、次いで組み立てられる２つの別個の要素により構成されて提供される。
【００２３】
一実施形態によれば、弁本体は、ガスケットと、可動シールユニットにおける（この場合は雌型の）シールと、ばね装置を収容する手段とを有する単一体を備える。
特定の状況では、ばね装置のより安定した支持を提供するために、部分的に弁本体上かつ部分的にそれに連結される支持要素上に製造されるばね装置を、収容する変形例を用いることができる。
【００２４】
下部体又は支持要素は、スナップイン形式又は別のタイプの接続によって、弁本体に固定するように製造できる。
弁本体と支持体とが互いに連結される別個の要素として作製されているこの変形例によれば、弁アセンブリは３つの構成要素により構成される。
【００２５】
支持要素は、弁本体に作用するばね装置を含んで配置され、弁本体の１つ又は２つのボディの形態は、その軸方向応力に耐えるためにばね装置が固定される手段を規定する。
弁本体が支持要素を必要とせず、収容手段と一体品である場合、ばね装置は、例えば弁本体内の適切なくぼみに弾性的に固定される。
【００２６】
弁アセンブリもまた支持要素を有する場合、ばね装置は取り外し可能な支持要素のベース上に載置することができる。
他の実施形態によれば、衛生化に適した実施形態では、ばね装置を含む要素の少なくとも一部は、光線又は消毒材料が前記要素の内部に浸透することを可能にする長手方向の割れ目を有し、所望の結果を保証する。
【００２７】
通常の実施形態では、弁本体は、２つの同軸容器の開口を閉じるための固定手段と協働し、少なくとも１つの流体が通過することを選択的に可能にするのに適した可動シールユニットの構成要素を含む。可動シールユニットは、ばね装置と弁本体との協働を可能にする。
【００２８】
本発明に係る弁本体は、可動シールユニットの雌型構成要素のシートと、弁アセンブリ全体の液圧シールと協働するシールガスケットとの両方を含む。
可動式シールユニットの雌型シートは、有利には、円錐台形状を有しており、雌型シートと嵌合する円錐形状を有した雄型構成要素と協働する。
【００２９】
変形例によれば、充填口に関連する弁のボディは、最初に、弁アセンブリに対して実質的に同軸上に配置される閉鎖手段及び制御手段を有する。
閉鎖手段及び制御手段は、分配装置が最初に挿入されるときに、弁本体から切り離され、可動シールユニットの雄型構成要素と一体になり、ばね装置及び／又は分配装置の作用を受けたときに雄型構成要素と一体的に移動する。
【００３０】
いくつかの実施形態によれば、弁本体は、雌型シートを形成する硬質ボディ、弁本体を結合させることができる容器の構成要素の上縁部に接続する部分、及び内部容器の内部を貫通する下部延長部を有する。
【００３１】
いくつかの実施形態によれば、同時に、弁本体は、単一体内に、少なくとも２つの液圧シールすなわちガスケットを形成する軟質材料を有する。
いくつかの実施形態によれば、ガスケットとして機能する軟質材料は、内部容器の上部円周内面に向かって作動する。
【００３２】
変形例によれば、軟質材料はまた、可動シールユニットの雌型構成要素の周縁延在部に向かって作動し、これにより強い外部妨害要因が存在しても、雄型構成要素と共に、確実で持続的なシールを保証する。
【００３３】
変形例によると、弁本体の上部は、２つの容器の上部と協働する上部ガスケットを有し、これにより液圧シールを保証する。
さらなる変形例によれば、硬質ボディは、少なくとも２つの容器の上端部を固定するガスケットに一体的に接続される。
【００３４】
さらなる変形例によれば、硬質ボディは、少なくとも可動シールユニットの雌型シートを補助するガスケットにも一体的に接続されている。
本発明によれば、有利には、可動シールユニットの雄型構成要素は、雄型構成要素に加えて、雌型シートを補助するガスケットと協働する調整された第２のシールの環状シートを有する。
【００３５】
別の変形例によると、このガスケットは雄型構成要素と一体化されている。
本発明によれば、硬質部分とガスケットとの間の正確で安定した接続が保証されることとなる場合、弁本体は２つの異なる方法によって製造できる。
【００３６】
第１の形態によれば、ガスケットは最初に成形又は射出され、場合によってはガスケットを単一体で得て、ガスケットの同じ構成要素の相互配置を維持する接続を提供する。
次に、弁本体の他の部分を形成する硬質プラスチックが、少なくとも１つの注入点によって注入されて、２つの構成要素が一体化された単一体が得られる。
【００３７】
変形例によれば、硬質プラスチックが最初に成形又は射出され、次に１つ以上のガスケットを形成する軟質プラスチックが成形又は射出される。
本発明のいくつかの実施形態によれば、雄型構成要素及びばね装置は、有利には、一体的に結合され、リサイクル可能なプラスチック材料製である。
【００３８】
変形例によると、雄型構成要素とばね装置は単一体で製造される。
別の変形例によれば、雄型構成要素は、上部分散リングを備えた単一体に設けられる。
いくつかの実施形態によれば、ばね装置は、単一体内に、可動シールユニットの雄型構成要素、１つ以上の分散リング、及び１つ以上の分配リングに接続された１つ以上のばねを備える。
【００３９】
いくつかの実施形態によれば、ばねは、渦巻形状、線形ジグザグ形状、又は目的に適した他の任意の形状であり得る。
変形例によると、線形ジグザグばねは、小さな直径のらせんばねに置き換えられる。
【００４０】
いくつかの実施形態によれば、複数のばねは互いに独立している、すなわち複数のばねは互いに直接は接続されていない。
いくつかの実施形態によれば、弁アセンブリは、閉鎖装置すなわちストッパー要素と結合することができ、閉鎖装置は、必須ではないが有利には、外部容器の上部にねじ込まれ、外部容器は、容器自体の中で弁アセンブリの様々な構成要素を固定する。
【００４１】
通常の実施形態では、本発明は、容器の２つの軸方向構成要素を安定して配置する単一の閉鎖要素又は閉鎖装置、及び弁アセンブリを有する。
閉鎖装置は、弁アセンブリの上部、特にその上部ガスケットと協働して、容器の気密シールを保証する。
【００４２】
本発明の変形例によれば、シールの改善に加えて、弁本体が単純化され、シール要素の適用が改善される。
さらに、カビが発生するおそれが排除される。
【００４３】
本発明によれば、弁アセンブリはその全体がプラスチック材料製である、すなわち弁アセンブリのすべての構成要素はプラスチック材料製である。
さらなる変形例によれば、弁アセンブリの構成要素に用いられるプラスチック材料はすべて、同じクラスのリサイクル可能な材料である。
【００４４】
さらなる変形例によれば、異なるクラスのプラスチック材料が小さな割合だけ、弁アセンブリ及び弁アセンブリが結合される飲料容器の総重量に対して無視できる程度の重量だけ含まれることがあり得るが、その割合が非常に小さいため、リサイクルにおいて実際には無関係である。
【００４５】
本発明の上記及び他の特徴は、添付の図面を参照して非限定的な例として与えられた、２つの解決策の以下の説明から明らかになるであろう。
【図面の簡単な説明】
【００４６】
【図１】２つの構成要素を備えた容器を形成するのに適したプリフォームのアセンブリに適用され、本明細書において閉じた構成で記載された実施形態に係る弁アセンブリの部分的に断面化された三次元図である。
【図２】分配装置を挿入した後の作動モードにおける図１の弁アセンブリの部分的に断面化された三次元図である。
【図３】変形例に係る弁アセンブリの正面断面図である。
【図４】弁アセンブリの構成要素の三次元図である。
【図５】図４の弁アセンブリの構成要素を示す正面断面図である。
【図６】別の変形例に係る弁アセンブリの一部の正面断面図である。
【図７】排出操作中の図４の部分の正面断面図である。
【発明を実施するための形態】
【００４７】
理解を容易にするために、可能な場合は同じ参照番号を使用して、図面中の同一の共通要素を識別するようにしている。一実施形態の要素及び特性は、さらなる明確化をすることなく、他の実施形態に好都合に組み込まれ得ることが理解される。
【００４８】
ここで、本発明の様々な実施形態を詳細に参照し、その１つ以上の例が添付の図面に示されている。各例は、本発明の例示として提供されており、本発明の限定として理解されるべきではない。例えば、示されるか又は説明される特徴は、その特徴が一実施形態の一部である限り、他の実施形態に採用されるか、又は他の実施形態と関連して採用されて、別の実施形態を生成することができる。本発明はそのようなすべての改変及び変形を含むものとすることが理解される。
【００４９】
図面を参照して本明細書に記載される実施形態は、２つのプリフォームをブローすることによって得られる、ドラム又はケグとも呼ばれる、飲料用の容器１０に関する。
例として、容器に入れられる飲料は、ビール、又はスパークリングワイン等の別の炭酸飲料、又はノンアルコール飲料、あるいは例えばワイン等の非炭酸飲料でもよい。
【００５０】
容器１０は、外部容器１１と、外部容器１１の内側で外部容器１１の軸上に配置された内部容器１２とを含み、内部容器１２と外部容器１１との間には中空空間１３が存在する。
【００５１】
内部容器１２及び外部容器１１は、相互カラー、又はカラー部１９，２２を介して既知の方法で相互に配置される。
弁アセンブリ４０と容器との正確かつ安定した相互位置決め及び容器の気密シールを保証するように構成された、弁アセンブリ４０及び閉鎖装置１４は、容器１０に結合されている。
【００５２】
いくつかの実施形態によれば、閉鎖装置１４は、汚れ防止蓋１７用のシート１５を備えている。汚れ防止蓋１７は、使用時に取り外して、弁アセンブリ４０へのアクセス及び図示しない適切な分配装置の設置を可能にする。
【００５３】
これらの分配装置は、使用中に、加圧された流体を中空空間１３に導入して内部容器１２を圧縮し、これにより飲料を流出させる。
外部容器１１は、収容部１８及び第１の開口２０が設けられたカラー部１９を備えている。
【００５４】
内部容器１２は、外部容器１１の収容部１８、カラー部１９及び第１の開口２２のそれぞれの内側に配置された、収容部２１及び第２の開口２３が設けられたカラー部２２を備えている。
【００５５】
収容部２１は、使用中に、飲料の収容区画室２７を規定する。
いくつかの実施態様によれば、外部容器１１及び内部容器１２は、それぞれの段状部２４，２５を、収容部１８，２１と対応するカラー部１９，２２との間のそれぞれの遷移区域内に、互いにオフセットさせて有しており、ブロー後であっても容器１１，１２間に中空空間１３が存在することを確保している。
【００５６】
段状部２４，２５はそれぞれ、加圧された流体が流れることができる分配チャネル２６と、弁アセンブリ４０と協働するのに適したハウジング凹部２９とを規定する。
いくつかの実施形態によれば、内部容器１２は、カラー部２２に対応して、空気又は加圧されたガスが中空空間１３から、又は中空空間１３に向かって流れることができる少なくとも１つの通路セクション２８を有している。
【００５７】
いくつかの実施形態によれば、通路セクション２８は、１つ以上の貫通穴２８によって規定される。
変形例によれば、通路セクション２８は、内部容器１２の上縁部まで延びるスリットによって規定される。
【００５８】
いくつかの実施形態によれば、内部容器１２はまた、使用中に、有利には外部容器１１の上端に載置され、２つの容器１１，１２の相互的な軸方向位置を決めるのに適した円周支持歯３０を備えている。
【００５９】
この場合、外部容器１１は、閉鎖装置１４のねじ部３２がねじ込まれて固定されるねじ付き円周領域３１を外部に有し、これは、２つの容器１１，１２と弁アセンブリ４０との相互位置を保持する。
【００６０】
変形例によれば、閉鎖装置１４は、既知の方法で内部容器１２から飲料を取り出すのに必要な分配手段及び装置を配置するための構造を上部に有し、場合によって弁アセンブリ４０の可動シールユニット５０の抵抗に打ち勝ち、そこを通る飲料の通過を可能にする。
【００６１】
閉鎖装置１４は、飲料分配装置を安定して漏れなく固定するために、シート１５の上部及び／又は内部に設置されている。
いくつかの実施形態によれば、シート１５は、ベースとして機能する内部環状延在部１６を有し、内部環状延在部１６には、使用中に分配される飲料の通過を可能にするのに適した中央開口３３が設けられている。
【００６２】
いくつかの実施形態によれば、シート１５は、分配装置の配置及び当接基準を規定するのに適した階段状に形成することができる。
本発明のいくつかの実施形態によれば、弁アセンブリ４０は、適切な分配装置が、空気などの加圧ガスを、２つの容器１１，１２の間に作用させることによって中空空間１３内に導入することができるように製造されており、内部容器１２が実質的に圧縮可能であり、飲料を抽出する役割を果たし、同時に内部容器１２内の飲料が分配装置に到達するために通過することができる通路開口３４を提供する。
【００６３】
本発明に係る弁アセンブリ４０は、弁本体４１及びばね装置４２と、この例においては支持要素４３とを備えている。
弁本体４１は、例えば図３及び図４に示す場合、単一体で形成されている。
【００６４】
いくつかの実施形態によれば、弁本体４１は、その構造３５，３６，３７，４７，４９を規定する硬質プラスチック材料と、硬質プラスチック材料と安定して結合し、複数のガスケット５１，５２，５３を規定する可撓性プラスチック材料とを単一体として備えている。
【００６５】
いくつかの実施形態によれば、弁本体４１は、上部環状部３５、中間据え付け壁３６又はプレート、及び下部延長部３７を備えている。
上部環状部３５は、１つ以上の接続要素４５によって据え付け壁３６に接続されている。
【００６６】
図１〜図５を参照して説明された実施形態によれば、複数の接続要素４５ａは、通過スリット４６によって分離されて設けられ得る。
図１〜図５を参照して説明された実施形態によれば、複数の接続要素４５ａは、上部環状部３５と中間据え付け壁３６との間で、通過スリット４６によって分離されて設けられ得る。
【００６７】
いくつかの実施形態によれば、接続要素４５ａは、上部環状部３５及び据え付け壁３６の円周に沿って等間隔に配置される。
図６を参照して説明された変形例によれば、円周方向の展開全体に亘って実質的に連続した壁として作製される単一の接続要素４５ｂを提供することができる。
【００６８】
接続要素４５は、分配装置との接続に必要なリブ又は突条４７を有することができる。
いくつかの実施形態によれば、上部環状部３５に結合された上部ガスケット５１が設けられている。
【００６９】
可能な解決策によれば、上部ガスケット５１はＬ字形断面を有し、第１のセグメント５１ａは上部環状部３５から半径方向に延び、第２のセグメント５１ｂは第１のセグメント５１ａに対して横方向に延び、据え付け壁３６に対向する。
【００７０】
上部ガスケット５１は、２つの容器１１，１２の気密シールを保証し、第１のセグメント５１ａを内部容器１２の上縁部と協働させ、第２のセグメント５１ｂを外部容器１１の上縁部と協働させるのに適している。
【００７１】
いくつかの実施形態によれば、通路開口３４は、使用中、据え付け壁３６に設けられている。
いくつかの実施形態によれば、下部延長部３７は、据え付け壁３６の下面から延在し、ばね装置４２の少なくとも一部を収容するのに適した収容キャビティ４８を画定する管状の壁によって規定されている。
【００７２】
下部延長部３７は、ばね装置４２の要件と整合性のあるサイズを有している。
いくつかの実施形態によれば、弁アセンブリ４０は、通路開口３４を選択的に開閉するように構成された可動シールユニット５０を備えている。
【００７３】
いくつかの実施形態によれば、可動シールユニット５０は、少なくとも部分的に形状的に嵌合し、互いに連結して通路開口３４を選択的に閉じるように構成された雌型構成要素３８及び雄型構成要素３９を備えている。
【００７４】
いくつかの実施形態によれば、弁本体４１の据え付け壁３６は、可動シールユニット５０のシート、すなわち雌型構成要素３８を含む。
いくつかの実施形態によれば、雄型構成要素３９は、ばね装置４２上に設けられ得る。
【００７５】
例で示される場合、最初のステップでは、可動シールユニット５０の雌型構成要素３８は、シール蓋４４によって閉じられている。
いくつかの実施形態によれば、シール蓋４４は、より薄い厚さの据え付け壁３６の中央部によって規定され、飲料分配装置の最初の導入時に据え付け壁３６から分離されるように構成されて、分配される飲料が通過できる弁アセンブリ４０の通路開口３４を規定する。
【００７６】
いくつかの実施形態によれば、シール蓋４４を規定する中央部は、雌型構成要素３８を規定するように、据え付け壁３６の上面に対して突出し、下面に対して凹んでいる。
さらなる実施形態によれば、可動シールユニット５０のシールとして機能するのに適した内部ガスケット５２が設けられている。
【００７７】
いくつかの実施形態によれば、内部ガスケット５２は環状形状を有し、雌型構成要素３８によって規定される通路開口３４の周りの据え付け壁３６に結合されている。
いくつかの実施形態によれば、使用中、内部ガスケット５２は、弁本体４１の据え付け壁３６とばね装置４２との間に介在されている。
【００７８】
さらなる実施形態によれば、弁本体４１は、据え付け壁３６の下面から延在し、使用中に内部容器１２の内面と協働するのに適した環状の当接壁４９を備えている。
いくつかの実施形態によれば、当接壁４９は、下部延長部３７の外部で該下部延長部３７と同軸上に位置する。
【００７９】
環状キャビティ５５は、下部延長部３７と当接壁４９との間に存在し得る。
さらなる実施形態によれば、弁本体４１と内部容器１２との間のシールとして機能するのに適しており、内部容器１２の収容区画室２７の表面と協働するように構成される側方ガスケット５３が提供される。
【００８０】
可能な解決策によれば、側方ガスケット５３は、当接壁４９に結合され、当接壁４９の外周全体に亘って延在し、使用中に、側方ガスケット５３は、内部容器１２の内面と円周方向に接触する。
【００８１】
このようにして、弁本体４１と内部容器１２との間の飲料の漏れが防止され、開いた状態にあるときに通路開口３４を通してのみ飲料が分配されることが保証される。
さらなる実施形態によれば、弁本体４１は、使用中に内部容器１２のハウジング凹部２９と協働して内部容器１２の段状部２５上に載置されるのに適した支持リング５４を含み、２つの容器の誤りなく正確な軸方向の配置を保証する。
【００８２】
いくつかの実施形態によれば、支持リング５４は、当接壁４９を超えて突出する据え付け壁３６の端部によって規定される。
図１及び図２に示されるように、シール蓋４４は、可動シールユニット５０の雄型構成要素３９上に存在する環状くぼみ６２に挿入されて連結されるのに適した環状突起６１を有し、この連結は、分配装置が初めて導入されるときに生じる。
【００８３】
このようにして、分配装置がシール蓋４４を押して据え付け壁３６から分離するとき、シール蓋４４はばね装置４２に固定されて雄型構成要素３９の一部となる。
分配装置が取り外されると、ばね装置４２の弾性圧縮力が雄型構成要素３９を伸張させ、これにより雄型構成要素３９に接続されたシール蓋４４を雌型構成要素３８及び据え付け壁３６と連結させて通路開口３４を閉じる。
【００８４】
いくつかの実施形態によれば、弁本体４１は、硬質材料に軟質材料の射出オーバーモールディングを行うことによって製造できる。
いくつかの実施形態によれば、ガスケット５１，５２，５３は、これらを互いに接続する接続フラップ７８ａ，７８ｂを有し、ガスケット５１，５２，５３はすべて単一の注入で形成される。
【００８５】
これらの実施形態によれば、硬質材料で製造された据え付け壁３６には、内部ガスケット５２を形成するために、軟質材料の通過を可能にするのに適した通路スリット７７が設けられ得る。
【００８６】
変形例によれば、ガスケット５１，５２，５３は互いに分離されている。この場合、ガスケット５１，５２，５３は、例えばこれらが結合する弁本体４１のそれぞれの部分に対して射出オーバーモールディングを行うことによって、互いに独立して製造され得る。
【００８７】
したがって、この実施形態によれば、通路スリット７７は、軟質材料で充填されている。
例えば図３に示される３つの構成要素により構成される弁アセンブリ４０を提供する実施形態によれば、弁本体４１及び支持要素４３は、連結部材５６，５７を嵌合することによって一緒に連結することができる。
【００８８】
いくつかの実施形態によれば、連結部材５６，５７は、例えば、弁本体４１に設けられた雌型の環状くぼみ５６、及び支持要素４３に設けられた雄型の環状係合部５７を備えることができる。
【００８９】
いくつかの実施形態によれば、この特定の場合のばね装置４２は、単一体内に１つ以上のばね５８及び少なくとも１つの分散リング５９ａ，５９ｂを有する。
いくつかの実施形態によれば、例えば図３を参照して説明されるように、ばね装置４２は、下部分散リング５９ａ及び上部分散リング５９ｂを備えている。
【００９０】
この特定の場合、上部分散リング５９ｂは、環状隆起部６０を有し、環状隆起部６０から、一例として、ばね装置４２に結合される可動シールユニット５０の雄型構成要素３９が生じる。
【００９１】
ばね５８は、図４に示すヘリコイド５８ｂ、又は図１〜図２に示す線形ジグザグ形状５８ａであり得、必要なときに所望の推力を生成するのに適した形態を有している。
ヘリコイドばね５８ｂは、これらの形態に起因して、雄型構成要素３９と雌型構成要素３８との間で、ばね装置４２の支持円周に沿って均一な圧力を及ぼさず、らせんの終わる位置に影響されることに留意されたい。
【００９２】
この欠点を克服するために、本発明の変形例によれば、線形ジグザグばね５８ｂが所望の推力を生成するのに適した数及び形態で用いられ、ばね装置４２における雄型構成要素３９の必要な軸方向移動を保証している。
【００９３】
いくつかの実施形態によれば、複数のジグザグばね要素５８ａは、これらの端部に対応して、分散リング５９ａ，５９ｂの両方に接続されている。
いくつかの実施形態によれば、複数のジグザグばね要素５８ａは互いに独立している、すなわち複数のジグザグばね要素５８ａは互いに直接は接続されておらず、分散リング５９ａ，５９ｂに対してのみ接続されている。これにより、ばね装置４２のより優れた荷重分散、及びより高いシール性並びに持続時間を得ることができる。
【００９４】
いくつかの実施形態によれば、ジグザグばね５８ａ及び分散リング５９ａ，５９ｂを接続する区域は、下部分散リング５９ａ及び上部分散リング５９ｂのそれぞれの円周に沿って互いに実質的に整列している、すなわちそれぞれの垂直軸に沿って重なっている。
【００９５】
いくつかの実施形態によれば、分散リング５９ａと分散リング５９ｂとは、互いに平行であり、長手軸線Ｘに直交する平面上にある。
いくつかの実施形態によれば、ばね装置４２は、弁アセンブリ４０のシャッター要素として機能するのに適した上部７２を備えている。
【００９６】
いくつかの実施形態によれば、上部７２は円錐台形状を有しており、可動シールユニット５０の雄型構成要素３９を規定している。
いくつかの実施形態によれば、上部７２は、上部分散リング５９ｂに結合されている。
【００９７】
いくつかの実施形態によれば、上部分散リング５９ｂは、使用中に外側を向いた表面上に、円周方向に延びる少なくとも１つのリブ７５を有している。
いくつかの実施形態によれば、２つ以上の円周方向のリブ７５を、場合によっては互いに同心円状に設けることができる。
【００９８】
いくつかの実施形態によれば、リブ７５は、弁本体４１の内部ガスケット５２と協働して、２つの構成要素のシールされた連結を保証することができる。
ばね装置４２は、特に、保管、輸送、ユーザの倉庫での保管、及び排出に必要であると予想される最大の時間中に許容される最小値に近い推力を維持するようなサイズに設定されている。
【００９９】
いくつかの実施形態によれば、ジグザグばね５８ａは、異なる形状に適合させることができるので、起伏、線形ジグザグ形状、アーチ型ジグザグ形状、正及び／又は負の展開を伴う連続波、又はこれらの組み合わせ有することが可能である。
【０１００】
可能な解決策によれば、例えば図１及び図２に示されるように、ばね装置４２は円形断面を有し、すなわちばね装置４２は２５ｍｍ〜３５ｍｍの間、有利には約３０ｍｍの直径を有する円筒内に入るが、ばね装置４２の用途に応じて他の互換性のあるサイズを有することもできる。
【０１０１】
いくつかの実施形態によれば、ばね装置４２を規定するジグザグばね５８ａは、有利には円筒形リングの内側に留まるように適合され、ジグザグばね５８ａのサイズは下部分散リング５９ａ及び上部分散リング５９ｂによって規定される。
【０１０２】
これらの実施形態によれば、ばね装置４２は、使用中に分配される飲料が通過することができる、実質的に円筒形状の内部区画室６３を備えている。
いくつかの実施形態によれば、複数のジグザグばね５８ａは、これらの長手方向に沿って一定の厚さを有することができる。
【０１０３】
いくつかの実施形態によれば、ジグザグばね１２は、次々に連続して配置された、それぞれの交互の凸面及び凹面を規定する、複数の山部６４及び谷部６５を含むプロファイルを有している。
【０１０４】
いくつかの実施形態によれば、山部６４及び谷部６５は、ジグザグばね５８ａの長手方向の中心線Ｍに対する両側に延びている。
図３を参照して説明される実施形態によれば、ジグザグばね５８ａは、連続する円周によって規定される波状の形態を有する。すなわち、山部６４及び谷部６５は、連続して交互に配置される実質的に円形の部分によって規定されている。
【０１０５】
例えば図１〜図３を参照して説明される実施形態によれば、ばね装置４２を構成する４つのジグザグばね５８ａがあり、互いに２つずつ対向している。
これらの実施形態によれば、ジグザグばね５８ａは、単一の外側波部の条件も満たす外部接続ブリッジ６６によって、隣接する各山部６４に対応して対になるように接続されている。
【０１０６】
さらなる実施形態によれば、図１と図２とに示す場合、及び弁本体４１が支持ボディ４３と一体品である図３の場合の両方において、弁本体４１及び／又は支持要素４３は、有利には消毒洗浄因子を入れることができる通過スリット４６，６７を有している。
【０１０７】
いくつかの実施形態によれば、通過スリット６７は、支持要素４３の内面へのアクセスを可能にし、例えば紫外線、赤外線、洗浄液等によって同内面を洗浄及び消毒できるようにするために、支持要素４３の側壁に長手方向に沿って形成することができる。
【０１０８】
考慮される変形例に応じて、ばね装置４２は、支持要素４３の底部（図１、図２及び図３）に載置されるか、円周方向に固定されるか、又は弁本体４１の取り付け要素６８（図４）に固定される。
【０１０９】
いくつかの実施形態によれば、弁アセンブリ４０は、完全に、又はほぼ完全に、リサイクル可能なプラスチック材料製であり、好ましくは容器１１、１２が製造されるプラスチック材料と同じクラスのものであり、これにより、最終容器すなわちケグは、１つ以上の構成要素を取り外すことなく、廃棄及びリサイクルできる。異なるクラスのプラスチック材料が最小割合だけ存在する可能性があるが、この割合がプラスチック材料のリサイクルに関する法律で要求される限度よりも少ない場合、たとえば５％未満、又は３％未満であり、残りの重量で９５％、又は９７％はリサイクル可能なプラスチック材料である。
【０１１０】
いくつかの実施形態によれば、容器１１、１２、弁アセンブリ４０及び閉鎖装置１４は、ポリエチレンテレフタレート（ＰＥＴ）製である。
本発明に係る弁アセンブリ４０の機能を以下に説明する。
【０１１１】
弁アセンブリ４０は、２つの構成要素が組み立てられた形態で、すなわちばね装置４２が弁本体４１及び場合によっては支持要素４３に一体的に連結された形態で、容器１０すなわちケグの内部容器１２に挿入される。
【０１１２】
特に、弁アセンブリ４０は、上部ガスケット５１が内部容器１２及び外部容器１１の両方の各上縁部に接触して配置されるように挿入され、上部において中空空間１３を気密にシールすることを保証し、容器１１，１２の相互連結を保証する。
【０１１３】
初期挿入位置（図１）では、弁本体４１は、支持リング５４が内部容器１２のハウジング凹部２９に対して懸架される状態で配置されているため、側方ガスケット５３はその下部のみが内部容器１２の内面に接触している。
【０１１４】
充填及び分配領域の洗浄を保証するために、閉鎖装置１４に存在する雌型取り付け手段７０と連結する雄型取り付け手段６９によって一時的に取り付けられる汚れ防止蓋１７を収容するのに適したシート１５を有する閉鎖装置１４は、容器すなわちケグ１０にねじ込まれている。
【０１１５】
ねじ付き円周領域３１にねじ込まれると、閉鎖装置１４は、弁アセンブリ４０を安定して位置決めし、弁本体４１の上部ガスケット５３に作用して、２つの容器１１、１２間のシールを保証する。
【０１１６】
これは、閉鎖装置１４の内部環状延在部１６が、弁本体４１の据え付け壁３６の上面に載置され、これにより可動シールユニット５０を形成する雄型構成要素３９と正確に連結することができる雌型構成要素３８を安定して位置決めすることを意味する。
【０１１７】
この場合、弁本体４１は、雌型構成要素３８の周りに内部ガスケット５２を有し、内部ガスケット５２は、弁アセンブリ４０が閉じられた位置にあるとき、ばね装置４２の上部分散リング５９ａと協働して、飲料の流出を防止する通路開口３４の気密シールを保証する。
【０１１８】
したがって、弁アセンブリ４０は、可動シールユニット５０の機械的シール３８，３９と、内部ガスケット５２によって提供される可撓性シールとの両方からなる二重シールを有する。
【０１１９】
弁アセンブリ４０及び閉鎖装置１４は、好ましくは、容器１０が最初に飲料で満たされた後に、容器１０に対して結合される。
閉鎖装置１４に存在する特定のシート１５に飲料分配装置を最初に適用することにより、シール蓋４４が下向きに押され、所定の破断線７１、この場合は円周方向に沿って破壊する。
【０１２０】
次に、シール蓋４４がばね装置４２の上部７２に向かって押され、ばね５８ａ，５８ｂを圧縮し、通路開口３４を開くように上部を据え付け壁３６から離間させる。
シール蓋４４の変位及びばね装置４２の圧縮は、飲料を分配できる分配チャネル７３の生成を伴う。
【０１２１】
次に、シール蓋４４の環状突起６１がばね装置４２の上部７２に存在する環状くぼみ６２内に配置されることにより、全体４４〜７２を形成し、据え付け壁３６に設けられた雌型構成要素３８と一緒に可動シールユニット５０を形成する。
【０１２２】
図示されていないいくつかの実施形態によれば、内部環状延在部１６又は据え付け壁３６のいずれかの少なくとも１つに、通過スリット４６及び通路セクション２８に向かう空気又はガスの通過を可能にするのに適した半径方向の溝があり得る。しかしながら、この解決策は、閉鎖装置１４に入り得る塵埃及び汚れに対する正確な保護を保証するものではない。
【０１２３】
好ましい実施形態によれば、内部環状延在部１６及び据え付け壁３６は、形状的に嵌合しており、相互に当接するように配置されたときに機械的シールを規定するのに適している。
【０１２４】
いくつかの実施形態によれば、分配装置の作用により、弁本体４１は、支持リング５４が段状部２５に接触してハウジング凹部２９に挿入されるとともに、側方ガスケット５３が内部容器１２の内面と完全に接触するまで下方に押し下げられる。
【０１２５】
この実施形態によれば、上部環状部３５は、閉鎖装置１４と２つの容器１１，１２の上縁部との間で圧縮されたままとなっている上部ガスケット５１から分離し、それらの気密シールを保証する。
【０１２６】
弁本体４１の下方への動きにより、閉鎖装置１４の内部環状延在部１６と据え付け壁３６との間に通路チャネル７４が画定され、分配装置によって導入される加圧された流体、例えば空気が通路チャネル７４を通じて流れることができる。
【０１２７】
加圧された流体は、通路チャネル７４に入り、弁本体４１の通過スリット４６及び内部容器１２に設けられた通路セクション２８を通過して中空空間１３に到達し、内部容器１２を圧縮する。例として、図２における矢印Ａは、加圧された流体の経路を示す。
【０１２８】
次に、飲料は、ばね装置４２の内部区画室６３を通過し、ばね５８ａ，５８ｂを通過して、弁本体４１の収容キャビティ４８に到達し、そこから飲料は、分配チャネル７４及び通路開口３４を通過して分配装置に到達する。例として、図２における矢印Ｂは、飲料の経路を示す。
【０１２９】
分配装置が取り外されると、圧縮力を受けなくなるばね装置４２が伸張し、雄型構成要素３９を可動シールユニット５０の雌型構成要素３８と連結させ、シール蓋４４は実質的にその初期位置に戻り、通路開口３４を閉じる。
【０１３０】
したがって、弁アセンブリ４０は、弁本体４１及び場合によって支持要素４３の下部延長部３７の内側で軸方向に動作するばね装置４２によって閉じるように駆動される。
２つの容器１１，１２の間の中空空間１３に存在する過剰な空気又はガスは、環状分配チャネル２６を通って通路セクション２８に到達し、そこから通過スリット４６及び通路チャネル７４を通って外部に排出される。
【０１３１】
中空空間１３内に、貫通穴の下に形成されたくぼみによって画定される１つ以上の軸方向チャネル２６ａ、及び外部容器１１又は内部容器１２のいずれかに設けられる隆起部７６によって規定される１つ以上の軸方向チャネル２６ｂも設けられ得る。
【０１３２】
図６及び図７を参照して説明された変形例によれば、弁本体１４１を簡素化するだけでなく、ビールが残留するおそれを排除し、これによりカビが発生するおそれを排除できる解決策が記載されている。
【０１３３】
これに加えて、弁アセンブリ４０が改善されて簡素化され、液圧シールが改善されている。
飲料分配装置の適用もまた改善されている。
【０１３４】
図６及び図７に示される変形例による弁本体１４１はまた、その構造３５，３６，３７，４７を規定する硬質プラスチック材料と、硬質材料と安定して結合し、複数のガスケット５１，５２，５３を規定する可撓性プラスチック材料とを単一体として備えている。
【０１３５】
図６及び図７の弁本体１４１において、上部環状部３５は、実質的に連続した環状壁４５ｂの形態の接続要素４５によって、据え付け壁３６に接続されている。この実施形態では、通過スリット４６は廃止されている。
【０１３６】
さらに、いくつかの実施形態によれば、接続壁４５ｂには、内側に向かって延びるリブ又は突条４７が設けられており、リブ又は突条４７は一方の側で分配装置との接続を可能にし、他方の側でガスの通気チャネル８３を対で規定する。
【０１３７】
いくつかの実施形態によれば、中空空間１３への二酸化炭素の通過を可能にするために、弁本体１４１はガス８１のための少なくとも１つの通路チャネルを備えており、通路チャネルにより内部側が弁本体１４１の外部側と連通されている。
【０１３８】
図６を参照して説明された実施形態によれば、通路チャネル８１は、上部環状部３５に近接して接続壁４５ｂに形成された通気孔８１ａによって規定されている。他の実施形態によれば、互いに離れて配置された１つ以上の通気孔８１ａが存在し得る。
【０１３９】
図７を参照して説明される他の実施形態によれば、通路チャネル８１は、弁本体１４１の長手軸線に対して半径方向に延び、上部環状部３５に形成された少なくとも１つの溝８１ｂによって画定され得る。
【０１４０】
他の実施形態によれば、１つ以上の穴８１ａ及び／又は１つ以上の溝８１ｂが存在し得る。
弁本体１４１の上部に対応して穴８１ａ及び／又は溝８１ｂを設けることは、飲料で満たされた容器１０が閉じられたときに、それらを通って飲料が漏れるのを防ぐのに有利である。このようにして、閉鎖装置１４と据え付け壁３６との間の区画室８２に蓄積し、カビを発生させる可能性のある飲料が残留するリスクは、排除されないとしても低減される。
【０１４１】
さらなる実施形態によれば、弁本体１４１は、使用中に弁本体１４１に注入されたガスを区画室８２から通路チャネル又は複数のチャネル８１に向かって通過させるのに適した、据え付け壁３６内に形成された１つ以上の半径方向のくぼみ８４を備えている。
【０１４２】
さらに、下部当接壁４９は、弁本体１４１において廃止されており、この場合、実質的に接続壁４５ｂの下部円周部全体に亘って延びる側方ガスケット５３のシールを改善している。
【０１４３】
使用中、閉鎖装置１４は、その下部円周部８０によって接続壁４５ｂに設けられた環状位置決め縁部８５上に安定した方法で配置される。
環状縁部８５は、接続壁４５ｂの段差を規定し、その内径を減少させる。
【０１４４】
いくつかの実施形態によれば、シール蓋４４を規定する据え付け壁３６の中央部周りにシールガスケット７９が存在し、シールガスケット７９は、使用中に二酸化炭素の経路を飲料の経路から隔離し、弁本体１４１のシールを改善するように構成されている。
【０１４５】
さらなる実施形態によれば、据え付け壁３６は、シール蓋４４を規定する中央部を取り囲むように突出した環状隆起部８６と、閉鎖蓋１４のベース部８０と一緒に区画室８２に向かうガスのための通路ギャップ８７を規定するシールガスケット７９とを備えることができる。
【０１４６】
この改変により、閉鎖装置１４を用いて容器１０を閉じている間、二酸化炭素（ＣＯ２）を内部容器１２に挿入された弁本体１４１に注入して、通路ギャップ８７、半径方向のくぼみ８４及び通気チャネル８３を介して通路チャネル／チャネル８１まで通過させ、区画室８２内の飲料残留物を実質的に洗浄する。
【０１４７】
さらに、通路チャネル８１を通過する注入された二酸化炭素は、容器１０の内部に到達して、飲料の上の頂部空間を満たすことができる。
さらなる実施形態によれば、弁本体４１，１４１はまた、下部延長部３７と据え付け壁３６が接続される区域に近接して下部延長部３７に貫設された１つ以上の通過穴８８を含む。
【０１４８】
これらの通過穴８８により、分配装置が弁装置４０と協働して挿入されるとき、頂部空間に存在する二酸化炭素を非常に迅速に除去することが可能である。
さらに、これらの通過穴８８はまた、内部容器１２がほぼ完全に潰されたときに空気を排出することを容易にする。
【０１４９】
本明細書に記載の実施形態はまた、外部容器１１及び内部容器１２を備える飲料用の容器１０を充填及び閉鎖する方法に関し、この方法は以下を含む。
（１）内部容器１２に飲料を充填すること。
【０１５０】
（２）弁本体４１，１４１が外部容器１２の上縁部と上部で接触するように配置された状態で、内部容器１２に組み立て済みの弁アセンブリ４０を配置すること。
（３）閉鎖装置１４を弁アセンブリ４０上に当てはめ、閉鎖装置１４を外部容器１１にねじ込むこと。
【０１５１】
いくつかの実施形態によれば、この方法は、弁アセンブリ４０の位置決め中に加圧された二酸化炭素の流れを容器１０の上面に向かって注入すること、及び閉鎖装置１４を当てはめてねじ込むことを含む。
【０１５２】
いくつかの実施形態によれば、この方法は、特に、飲料を充填するステップが終了するとすぐに容器１０に向かって加圧された二酸化炭素の流れの注入を開始し、閉鎖装置１４が外部容器１１上に完全にねじ込まれたときにのみ注入を停止することを含む。
【０１５３】
したがって、上述の経路に沿って、図６の矢印で示される二酸化炭素の流れは、そうでなければカビを発生させる可能性のある飲料残留物を区画室８２から除去することができる。
【０１５４】
いくつかの実施形態によれば、閉鎖装置１４をねじ込むステップにおいて、この方法は４５Ｎ〜５５Ｎの間のトルクを加えることを含む。
本発明の分野及び範囲から逸脱することなく、これまでに説明したように、弁アセンブリ４０に対して部品の改変及び／又は追加を行うことができることは明らかである。
【０１５５】
本発明はいくつかの特定の例を参照して説明されてきたが、当業者であれば確かに、請求項に記載されている特徴を有し、したがってすべてが請求項によって定義された保護の分野に含まれる、他の多くの均等の形態の弁アセンブリ４０を達成することができなければならないことも明らかである。
【図１】
2021522123.tif 000003
【図２】
2021522123.tif 000004
【図３】
2021522123.tif 000005
【図４】
2021522123.tif 000006
【図５】
2021522123.tif 000007
【図６】
2021522123.tif 000008
【図７】
2021522123.tif 000009
【国際調査報告】
2021522123.tif 000010
2021522123.tif 000011